(57)【要約】  【課題】  ユーザに、装着装置の処理状態をわかりやすく通知できる装着装置を提供する。  【解決手段】  携帯情報端末１００の挿入口２０２を有するケース２０１を、プレート２４１と、それ以外に分割する。プレート２４１に、用途に合わせて窓２１５、２１６を開け、窓２１５、２１６を通して、表示部１０２の表示内容を視認できるようにする。プレート２４１に識別情報として突起２２２〜２４６を設け、突起の配置でプレートを識別し、表示内容を変更する。目的のプレートを装着するだけで、表示内容を正しく変更できる。【選択図】  図１２
2004164612.tif 000002
【特許請求の範囲】
【請求項１】
表示部を有する携帯情報端末が、接離自在に装着され、前記携帯情報端末に処理を施す装着装置であって、
窓を備え、
前記窓を通して前記表示部の表示内容を外部から視認できるようにした、装着装置。
【請求項２】
表示部を有する携帯情報端末の挿入口を有するケースと、
前記ケースに設けられ、かつ、前記表示部を区画する窓とを備える装着装置。
【請求項３】
前記挿入口に挿入された携帯情報端末に電気的接続可能に形成されたコネクタを備える請求項２記載の装着装置。
【請求項４】
前記窓に関連付けられた入力手段を備え、
前記入力手段の操作により、前記挿入口に挿入された携帯情報端末を操作できるようにした請求項３記載の装着装置。
【請求項５】
前記ケースの前面側が開放され、前記前面側が、窓を有するプレートで着脱可能に覆われ、前記窓を通して前記表示部の表示内容を外部から視認できるようにした請求項２から４記載の装着装置。
【請求項６】
前記プレートは、前記窓の構成が異なり、かつ、ユニークな識別情報を有する複数種類用意され、前記ケースに、前記識別情報を読み取るセンサが設けられ、前記表示部の表示内容は、読み取られた前記識別情報に基づいて変更される、請求項５記載の装着装置。
【請求項７】
請求項３記載の装着装置に装着される携帯情報端末であって、
前記コネクタを介して、前記表示部を制御する制御部を備え、
前記制御部は、前記表示部において、前記窓によって区画される各部分に、異なる態様の表示がなされるように、前記表示部を制御する携帯情報端末。
【請求項８】
カードを挿入可能に形成されたカード挿入部を備えた携帯情報端末であって、
前記カード挿入部には、その内部に挿入されたカードを外部から視認できるように窓が形成されている携帯情報端末。
【発明の詳細な説明】
【技術分野】
【０００１】
本発明は、携帯情報端末が装着される装着装置及びその関連技術に関するものである。
【背景技術】
【０００２】
近年、電子通信技術の進歩に伴い、小型・軽量で薄型の表示デバイス（例えば、ＬＣＤ、有機ＥＬ、電子ペーパー等）が広く普及し、このような表示デバイスを搭載した、携帯情報端末（例えば、ＰＤＡ（Ｐｅｒｓｏｎａｌ  Ｄｉｇｉｔａｌ  Ａｓｓｉｓｔａｎｔ）等）と、このような携帯情報端末用の装着装置とが、実用化されている。
【０００３】
このような装着装置は、一般に、充電や接続インターフェイスとの整合を採るアダプタに過ぎない。
【０００４】
この点について、例えば、特許文献１（特開２００２−２８８１４３号公報）等では、装着装置の機能を向上させる工夫が提案されている。
【０００５】
しかしながら、特許文献１等によっても、装着装置の操作性の面から見ると、装着装置は、単なるアダプタの域を出ておらず、ユーザに、装着装置の処理状態をわかりやすく通知できるとは、言い難い。
【０００６】
また、特許文献３（特開平１１−７４６５４号公報）では、端末本体を、装着装置に装着した状態でＬＣＤの出力内容を容易に確認できるようにした技術を開示している。
【０００７】
しかしながら、この技術は、装着装置の表面の一部を切り取り、ＬＣＤの一部を露呈させているだけであって、この技術によっても、表示内容が極めてわかりやすくなるとは、言えない。
【特許文献１】特開２００２−２８８１４３号公報（第３−５頁）
【特許文献２】特開２０００−１３４８２１号公報
【特許文献３】特開平１１−７４６５４号公報
【発明の開示】
【発明が解決しようとする課題】
【０００８】
そこで本発明は、ユーザに、装着装置の処理状態をわかりやすく通知できる装着装置及びその関連技術を提供することを目的とする。
【課題を解決するための手段】
【０００９】
請求項１記載の装着装置は、表示部を有する携帯情報端末が、接離自在に装着され、携帯情報端末に処理を施す装着装置であって、窓を備え、窓を通して表示部の表示内容を外部から視認できるようにしてある。
【００１０】
請求項２記載の装着装置は、表示部を有する携帯情報端末の挿入口を有するケースと、ケースに設けられ、かつ、表示部を区画する窓とを備える。
【００１１】
これらの構成により、表示部において、窓により区画される領域毎に、異なる態様の表示を行える。
【００１２】
請求項３記載の装着装置では、挿入口に挿入された携帯情報端末に電気的接続可能に形成されたコネクタを備える。
【００１３】
この構成により、装着装置と携帯情報端末との間で、コネクタを介した通信あるいは給電等の処理を行える。
【００１４】
請求項４記載の装着装置では、窓に関連付けられた入力手段を備え、入力手段の操作により、挿入口に挿入された携帯情報端末を操作できるようにしてある。
【００１５】
ここで、携帯情報端末は、一般に持ち運びながら使用されることを前提とする。ところが、この構成により、携帯情報端末を、装着装置に装着すると、据置き型の情報端末と同様に、使用できる。さらに、携帯情報端末に入力手段を備えられていなくとも、装着装置の入力手段を使用することにより、携帯情報端末に入力手段が備えられている場合と、同等の操作環境をユーザに提供できる。
【００１６】
請求項５記載の装着装置では、ケースの前面側が開放され、前面側が、窓を有するプレートで着脱可能に覆われ、窓を通して表示部の表示内容を外部から視認できるようにしてある。
【００１７】
この構成において、装着装置を、プレートとそれ以外とに、分離することにより、プレートのみを交換して、装着装置に様々な機能を付加することができる。
【００１８】
請求項６記載の装着装置では、プレートは、窓の構成が異なり、かつ、ユニークな識別情報を有する複数種類用意され、ケースに、識別情報を読み取るセンサが設けられ、表示部の表示内容は、読み取られた識別情報に基づいて変更される。
【００１９】
これらの構成により、パネルを交換することにより、表示内容を変更できる。また、窓の形状・大きさ・数を変更することで、用途に応じて、分かりやすく表示できる。
【００２０】
請求項７記載の携帯情報端末は、コネクタを介して、表示部を制御する制御部を備え、制御部は、表示部において、窓によって区画される各部分に、異なる態様の表示がなされるように、表示部を制御する。
【００２１】
この構成により、装着装置側において、表示の態様を制御しなくとも、表示部において、窓により区画される領域毎に、異なる態様の表示を行える。
【００２２】
請求項８記載の携帯情報端末は、カードを挿入可能に形成されたカード挿入部を備えた携帯情報端末であって、カード挿入部には、その内部に挿入されたカードを外部から視認できるように窓が形成されている。
【００２３】
この構成により、ユーザは、カードを取り出さずに、カード挿入部に挿入したまま、カードに関する情報を得ることができる。
【発明の効果】
【００２４】
本発明によれば、ケースの窓により区画される領域毎に、異なる態様の表示を行える。
【００２５】
携帯情報端末を、装着装置にロックしながらも、処理の進捗状況や天気予報や広告などの各種メッセージを表示することができ、使いやすさを提供できる。
【発明を実施するための最良の形態】
【００２６】
以下、図面を参照しながら、本発明の実施の形態を説明する。
【００２７】
（実施の形態１）
図１は、本発明の実施の形態１における装着装置及び携帯情報端末の正面図である。
【００２８】
図１に示すように、装着装置２００は、ケース２０１と、台部２０９を備える。
【００２９】
ケース２０１は、上端に開口部を有する箱状をなし、その開口部は、携帯情報端末１００の挿入口２０２になっている。携帯情報端末１００は、この挿入口２０２から挿入されて、装着装置２００に、接離自在に装着される。
【００３０】
ケース２０１の正面側中央部には、窓２０３が開設され、挿入口２０２から携帯情報端末１００が挿入されると、携帯情報端末１００の表示部１０２の一部は、窓２０３を介して外部から視認できるようになっている。この窓２０３は、完全な穴にしても良いし、透明の樹脂などで、内部を外部から視認できるように封鎖しても良い。
【００３１】
ケース２０１の底側には、コネクタ２０４が設けられ、コネクタ２０４が、携帯情報端末１００のコネクタ１０３とが接続されると、装着装置２００と携帯情報端末１００とが、電気的に接続され、充電又はデータ通信などを行えるようになっている。なお、配線２０４ａは、図２、図３に示すように、装着装置１００のコネクタ２０４と、装着装置１００の外部に設けられた、充電器２１０、サーバ３００等とを接続する。
【００３２】
装着装置２００のケース２０１の底部には、イジェクト機構２０８が収納されている。本例では、このイジェクト機構２０８は、ソレノイド２０５、ソレノイド２０５のロッド２０６、当部材２０７とから構成される。当部材２０７は、ケース１０１の底部１０１ａと当接するものである。
【００３３】
携帯情報端末１００は、ＬＣＤ、有機ＥＬ、電子ペーパー等の表示部１０２を有する。図１に示すように、コネクタ２０４、１０３が電気的に接続されると、ケース２０１の上縁２０１ａの上側に、表示部１０２の第１領域１０２ａが外部に露呈し、窓２０３から第２領域１０２ｂが、外部から見えるようになっている。
【００３４】
そこで、図１に示しているように、第１領域１０２ａには、「本日のニュース」等の情報を表示し、第２領域１０２ｂには、充電あるいはデータ通信の経過を表示するステータスバーを表示するなど、領域毎に表示の形態を異ならしめることができる。
【００３５】
後にさらに詳しく説明するが、充電あるいはデータ通信などの処理が完了すると、イジェクト機構２０８のソレノイド２０５が作動し、ロッド２０６が上方へ突出し、当部材２０７が、実線位置から仮想線位置へ上昇することにより、コネクタ１０３、２０４の接続が解除され、ケース１０１が、矢印Ｎ１で示すように、上向きにポップアップする。これにより、ユーザに、処理が完了したことを、わかりやすく通知できる。
【００３６】
また、台部２０９は、図２に示すように、ケース２０１を若干傾斜させた状態で支持するようになっている。台部２０９の背部には、充電器２１０が接続される。
【００３７】
次に、図３を用いて、装着装置２００及び携帯情報端末１００の内部構成について、説明する。図３は、本発明の実施の形態１における装着装置と携帯情報端末のブロック図である。
【００３８】
携帯情報端末１００は、表示部１０２、コネクタ１０３の他、次の要素を有する。制御部１０４は、ＣＰＵ等からなり、携帯情報端末１００の各要素を制御するほか、図４に示すフローチャートにしたがって、携帯情報端末１００が装着装置２００に接続された際に、装着装置２００の各要素を制御する。
【００３９】
メモリ１０５は、ＲＡＭ等からなり、制御部１０４が、その処理上必要な情報を読み書きするようになっている。
【００４０】
接続検知部１０６は、コネクタ１０３とコネクタ２０４の電気的な導通があるかどうかを検出する。
【００４１】
電池１０７は、１次電池でも、２次電池でも良いが、本例では、充電の対象となるものである。充電時には、充電器２１０から、コネクタ２０４、１０３を経由して、電池１０７に電力が供給される。
【００４２】
通信インターフェイス１０８は、コネクタ１０３あるいはその他の要素を経由して、携帯情報端末１００の外部のデバイスとのデータ通信を実施する。
【００４３】
また、装着装置２００側には、イジェクト機構２０８、コネクタ２０４、充電器２１０の他、通信インターフェイス２１１が設けられている。通信インターフェイス２１１は、サーバ３００等と通信でき、携帯情報端末１００が、装着装置２００に装着されると、通信インターフェイス１０８、コネクタ１０３、コネクタ２０４、通信インターフェイス２１１を経由して、携帯情報端末１００は、サーバ３００等と、データの送受信を行えるようになっている。
【００４４】
次に、図４を参照しながら、制御部１０４の動作を説明する。まず、制御部１０４は、ステップ１において、接続検知部１０６が、コネクタ１０３とコネクタ２０４の導通を検知するまで、待つ。
【００４５】
検知されると、制御部１０４は、ステップ２にて、電池１０７の充電が必要かどうかチェックする。必要ならば、ステップ３にて、電池１０７への充電が実施される。このとき、装着装置２００の充電器２１０から、コネクタ２０４、コネクタ１０３を経由して、電池１０７へ給電される。そして、ステップ４へ処理が移る。一方、充電が必要でなければ、そのままステップ４へ処理が移る。
【００４６】
ステップ４では、制御部１０４は、通信データがあるかどうかチェックする。もしあれば、ステップ５にて、通信インターフェイス２１１、コネクタ２０４、コネクタ１０３及び通信インターフェイス１０８を経由して、制御部１０４と、サーバ３００がデータ通信を行う。勿論、制御部１０４は、サーバ３００から受信したデータ等必要なデータがあれば、これをメモリ１０５に格納する。一方、通信データがなければ、そのままステップ６へ処理が移る。
【００４７】
ステップ６では、制御部１０４は、イジェクト機構２０８を作動させる。これにより、ソレノイド２０５のロッド２０６が突出し、図１、図２に矢印Ｎ１で示すように、携帯情報端末１００がポップアップし、処理が終了する。
【００４８】
このポップアップの結果、コネクタ１０３、２０４の接続が解除される。なお、制御部１０４が、イジェクト機構２０８を作動させるタイミングは、充電及びデータ通信の完了直後が望ましいが、適宜遅延時間を設けても良い。また、充電とデータ通信とを、同時並行して実施することもできるし、データ通信後充電するようにすることもできる。このように、携帯情報端末１００が装着装置２００から物理的にイジェクトされるので、ユーザは、処理完了を容易に知ることができる。また、携帯情報端末１００が装着装置２００から物理的にイジェクトされるので、携帯情報端末１００は、装着装置２００から電気的に切断され、雷サージ電流（落雷等により発生する）による損傷から保護される。
【００４９】
次に、図５を参照しながら、本形態の携帯情報端末１００について説明する。図５（ａ）、（ｂ）に示すように、この携帯情報端末１００の背面側には、メモリなどのカード１１０を挿入できる、カード挿入部１０９が設けられている。
【００５０】
さらに、カード挿入部１０９には、携帯情報端末１００の背面側からカード挿入部１０９内部を視認できるように、例えば、透明の樹脂等からなる、窓１０９ａが形成されている。
【００５１】
したがって、ユーザは、カード１１０をカード挿入部１０９に挿入した状態においても、カード１１０に貼り付けられるラベル１１０ａ等を、携帯情報端末１００の外から見ることができる。
【００５２】
つまり、ユーザは、カード１１０に記録されたデータに関する情報（例えば、データの名前、インデックス、内容、その他の属性）やカードの記録容量等を、ラベル１１０ａに記載し、このラベル１１０ａをカード１１０に貼り付けておけば、カード挿入部１０９にカード１１０を挿入したまま、このような記載内容を読むことができ、大変便利である。
【００５３】
なお、装着装置２００と携帯情報端末１００とのデータ通信は、コネクタ１０３、２０４の電気的接続によるものではなく、ＩＥＥＥ８０２．１１ａ，ｂ，ｇ等の規約に基づく無線通信であってもよい。この場合、イジェクトによりコネクタ１０３、２０４の接続が解除された後にも、データ通信が可能となる。
【００５４】
（実施の形態２）
次に、図６から図８を参照しながら、本発明の実施の形態２について説明する。本形態では、実施の形態１に対し、ロック機構を設けた点が異なる。
【００５５】
即ち、図６に拡大して示しているように、携帯情報端末１００のケース１０１の側部に、切欠１１２を設ける。
【００５６】
また、ケース２０１の一部を膨らませ、収納部２０１ｂを形成し、収納部２０１ｂの内部に、ソレノイド２１２を配置し、ソレノイド２１２のロッド２１３が切欠１１２に臨むように横向きにする。さらに、携帯情報端末１００が挿入口２０２に挿入され、コネクタ１０３とコネクタ２０４とが接続された状態（実線参照）において、ロッド２１３の位置と切欠１１２の位置とが一致するようにする。
【００５７】
このとき、ソレノイド２１２を作動させ、ロッド２１３を実線位置から破線位置へ突出させると、ロッド２１３の先端部が切欠１１２と係合し、携帯情報端末１００は、ロックされ装着装置２００から取り外せない状態になる。
【００５８】
また、この状態から、ソレノイド２１２を作動させ、ロッド２１３を実線位置に没入させると、ロックが解除され、矢印Ｎ１で示すように、携帯情報端末１００を装着装置２００から取り外せる状態になる。
【００５９】
本形態では、収納部２０１ｂとソレノイド２１２とにより、装着装置２００から携帯情報端末１００を取り外すことを、禁止／許可するロック機構２１４を構成している。
【００６０】
本形態の構成をブロック図で示すと、図７のようになる。即ち、図３に比べてロック機構２１４が装着装置２００に追加されている。ここで、イジェクト機構２０８と同様に、ロック機構２１４の動作は、コネクタ２０４、１０３を介し、携帯情報端末１００の制御部１０４により制御される。
【００６１】
本形態の装着装置２００の動作は、図８に示すようになる。即ち、ステップ１１にて接続が検知されたら、ステップ１２にて、制御部１０４は、ロック機構２１４を作動させ、ロッド２１３を切欠１１２内へ突出させ、携帯情報端末１００が装着装置２００内にロックされる。その後、ステップ１３〜１６において、図４のステップ２〜５と同様の処理が行われる。
【００６２】
次に、ステップ１７にて、イジェクト動作に先立ち、制御部１０４は、ロック機構２１４を作動させ、ロッド２１３を切欠１１２内から退避させる。その後、ステップ１８にて、イジェクト動作が行われる。
【００６３】
本形態によれば、次の効果がある。即ち、ロック機構２１４を設けることにより、ユーザが誤って携帯情報端末１００を抜くのを防止できる。このことは、充電あるいはデータ通信などの処理の途中で、携帯情報端末１００を装着装置２００から抜くことにより発生する、データ通信エラーの発生や、回路破損の危険性を未然に防止することに役立つ。
【００６４】
（実施の形態３）
実施の形態１及び実施の形態２は、図９及び図１０に示すように、業務用の装着装置にも適用できる。図９は、このように適用した業務用の装着装置の外観を示し、図１０は、その表示内容の例を示す。
【００６５】
特に、実施の形態２を適用するのが望ましい。こうすると、例えば、公共の場（例えば、店頭、駅など）に設置され、デジタルコンテンツを販売するデータ書込み装置（キオスク端末等）に、本形態を適用すると、処理中にユーザが付き添わなくとも、携帯情報端末の盗難を防止できる。
【００６６】
（実施の形態４）
図１１を用いて、本発明の実施の形態４の構成について説明する。
【００６７】
図１１に示すように、ケース２０１の正面側には、第１の窓２１５と、第１の窓２１５の表示内容を操作する第１のボタン２１７と、第２の窓２１６と、第１の窓２１６の表示内容を操作する第２のボタン２１８とが、配置されている。
【００６８】
連結マーク２１９は、第１の窓２１５と第１のボタン２１７とが関連することを示し、連結マーク２２０は、第２の窓２１６と第２のボタン２１８とが関連することを示す。
【００６９】
第１の窓２１５には、本日のニュースが表示されている。ユーザが、第１のボタン２１７を押すと、サーバ３００から最新のニュースデータが取得され、第１の窓２１７の表示内容をスクロールしてニュースの続きを表示することができる。
【００７０】
また、第２の窓２１６には、世界の都市とその時刻が表示されている。第２のボタン２１６を押すたびに、時刻表示したい都市を切り替える（例えば、ローマ→ロンドン→パリ等）ことができる。
【００７１】
なお、本形態では、入力手段をボタン２５１とした。しかしながら、勿論、入力手段を、つまみの回転角で入力値を決定するボリュームや、つまみの移動量で入力値を決定するスライダなど、操作目的に応じたものに変更することもできる。
【００７２】
本形態によれば、装着装置２００にあるボタン２１７、２１８を操作することで、携帯情報端末１００を制御でき、窓２１５、２１６の表示内容を変更することができる。つまり、装着装置２００に備えた入力手段を使うことで、携帯情報端末１００に入力手段が備えられていない場合においても、入力手段が携帯情報端末１００に備えられている場合と同等の操作環境を提供できる。
【００７３】
また、ユーザは、携帯情報端末１００に直接触れないので、携帯情報端末１００には外力が作用しない。したがって、ロック機能などの特別な装置を備えなくとも、コネクタ１０３、２０４の電気的接続が、誤って解除されるおそれが少ない。
【００７４】
また、連結マークにより、窓とボタンとの関連づけが明確となり、操作が分かりやすい。なお、連結マークは、図１１の例に限定されるものではなく、相互に関連する窓とボタンにおいて、色、柄、形状等を一致させることにより、構成することもできる。
【００７５】
（実施の形態５）
次に、図１２から図１４を参照しながら、本発明の実施の形態５について説明する。
【００７６】
本形態では、装着装置２００を、装着装置２００の前面を着脱可能に覆うプレートと、それ以外の部分とに、分けて構成している。窓のレイアウトが異なるプレートを、複数種類用意すると共に、それぞれのプレートにユニークな識別情報を持たせ、識別情報に基づいて、表示部１０２の表示内容が変更される。
【００７７】
即ち、図１２に示すように、装着装置２００の前面側をほどんど開放し、左右に縦長で断面Ｃ字状の左ガイド２２１、右ガイド２２２を垂直に設ける。
【００７８】
左ガイド２２１、右ガイド２２２の下端部は、水平な当接面２２３となっており、当接面２２３には、等形状かつ等ピッチの挿入孔２３１〜２３８が開設される。挿入孔２３１〜２３８のそれぞれの内部には、当該内部における物体の有無を検出するセンサ２３１ａ〜２３８ａが配設される。センサ２３１ａ〜２３８ａの検出方式は、任意であり、例えば、機械的なものであっても良いし、光学的なものでもよい。
【００７９】
図示しているように、左ガイド２２１、右ガイド２２２には、プレート２２４の左側縁２２５、右側縁２２６がスライド自在に挿入される。プレート２２４の挿入が完了すると、プレート２２４の底面２２７は、当接面２２３に当接し、プレート２２４は、それ以上下降できない。
【００８０】
また、プレート２２４の底面２２７から下向きに突起２３９、２４０が突設され、突起２３９、２４０は、挿入孔２３１〜２３８のいずれかに嵌め込まれる。
【００８１】
突起２３９、２４０の位置及び個数は、プレート２２４の識別情報に他ならず、図１２の例では、挿入孔２３１、２３２に、突起２３９、２４０が、それぞれ嵌め込まれ、その結果、センサ２３１ａと、センサ２３２ａとが、物体を検出し、センサ２３３ａ〜２３８ａは、いずれも物体を検出しないことになる。
【００８２】
ここで、センサ２３１ａ〜２３８ａの順に１ビット（検出したとき「１」、検出しないとき「０」）を割り当てるものとすると、プレート２２４の識別情報は、例えば、８ビットで「１１００００００」と表現できる。こうすると、２５５種類のプレートに対応できる。
【００８３】
さて、プレート２２４には、突起２３９、２４０によって、一意に定められるレイアウトによる、窓２２８、２２９が、設けられている。
【００８４】
なお、図１２において、プレート２２４が装着装置２００に装着されたとき、プレート２２４の背面側の空間は、携帯情報端末１００の挿入口２０２となる。
【００８５】
図１３は、プレート２２４を装着装置２００に装着した際の表示例を示す。この例では、窓２２８に気温が、いわゆるアルコール温度計（ガラス管に着色液体を封入した温度計）風に表示され、窓２２９に天気情報が表示され、ケース２０１の上方に日付情報が表示されている。
【００８６】
即ち、プレート２２４は、天気表示用のプレートであり、その識別情報は、突起２３９、２４０により表現され、実施の形態１〜３と同様（図３参照）に、センサ２３１ａ〜２３８ａが検出した、プレート２２４の識別情報は、コネクタ２０４、１０３を介して、コネクタ１０３へ入力され、コネクタ１０３は、識別情報に合わせて、表示部１０２の表示内容を変更する。
【００８７】
なお、プレート２２４を装着装置２００から取り外すと、センサ２３１ａ〜２３８ａは、全て物体を検出しなくなり、上記情報が「００００００００」となる。すると、制御部１０４は、表示部１０２の表示を消去する。
【００８８】
プレートは、用途ごとに種々用意できる。例えば、図１４（ａ）に示すプレート２４１は、ニュースと時刻を表示するためのものであり、窓２４２にはニュースが字幕で表示され、窓２４３には、アナログ式の時計が表示される。
【００８９】
また、図１４（ｂ）に示すプレート２４７は、写真を表示する窓２４８を有する。
【００９０】
そして、図１４（ａ）における突起２４４〜２４６と、図１４（ｂ）における突起２４９、２５０は、図１２のプレート２２４における突起２３９、２４０に対し、本数や位置が異なっており、それぞれのプレートは、プレートに設けられる突起によりユニークに識別できる。
【００９１】
なお、窓の形状、個数、レイアウト等は、用途に応じて、任意に選択でき、図示したものに限定されるわけではない。
【００９２】
また、同じ用途のプレートを複数用意し、各プレートに色や模様を付けて区別しても良い。例えば、地域ごとに複数の天気表示用のプレートを用意し、見た目で気象情報を得たい地域を、区別することが考えられる。
【００９３】
また、「リラックス」は青色、「目覚め」は緑色「元気」は赤色など、テーマごとに写真用のプレートの色を定め、写真用のプレートに、その色ごとに異なる配置の突起を設けるとよい。こうすれば、ユーザは、写真用のプレートの色を気分に合わせて選び、選んだプレートを装着装置２００に装着するだけで、ユーザは、その時の気分に合うように写真を表示でき、好適である。
【００９４】
なお本形態では、プレートの突起とセンサとを組合わせて、プレートの種類を識別した。しかしながら、プレートの種類をユニークに識別できれば十分であり、例えば、プレートに非接触の電子タグ（ＩＣタグ）を埋め込み、センサとして電子タグリーダを使用してもよいし、あるいは、プレートにバーコードラベルを貼り付け、バーコードリーダをセンサとして使用しても良い。このようにすると、突起のないプレートを実現できる。
【００９５】
本形態によれば、ユーザは、メニュー選択やボタン押下といった特別な操作なしに、プレートを選択して装着装置に装着するだけで、携帯情報端末の機能を選択でき、所望のデータを見やすく表示することができる。特に、機器の操作が苦手な高齢者、子供、身障者等にとって、操作が、簡単で分かりやすいため、好適である。
【産業上の利用可能性】
【００９６】
本発明の装着装置は、例えば、ＰＤＡのクレードル等として好適に利用できる。
【図面の簡単な説明】
【００９７】
【図１】本発明の実施の形態１における装着装置と携帯情報端末の正面図
【図２】本発明の実施の形態１における装着装置と携帯情報端末の側面図
【図３】本発明の実施の形態１における装着装置と携帯情報端末のブロック図
【図４】本発明の実施の形態１における携帯情報端末のフローチャート
【図５】（ａ）本発明の実施の形態１における携帯情報端末の平面図  （ｂ）本発明の実施の形態１における携帯情報端末の背面図
【図６】本発明の実施の形態２における装着装置と携帯情報端末の拡大図
【図７】本発明の実施の形態２における装着装置と携帯情報端末のブロック図
【図８】本発明の実施の形態２における装着装置と携帯情報端末のフローチャート
【図９】本発明の実施の形態３における装着装置の斜視図
【図１０】本発明の実施の形態３における表示例図
【図１１】本発明の実施の形態４における装着装置と携帯情報端末の正面図
【図１２】本発明の実施の形態５における装着装置の斜視図
【図１３】本発明の実施の形態５における装着装置と携帯情報端末の正面図
【図１４】（ａ）本発明の実施の形態５におけるプレートの正面図  （ｂ）本発明の実施の形態５におけるプレートの正面図
【符号の説明】
【００９８】
１００  携帯情報端末
１０１  ケース
１０１ａ  底部
１０２  表示部
１０２ａ  第１領域
１０２ｂ  第２領域
１０３  コネクタ
１０４  制御部
１０５  メモリ
１０６  接続検知部
１０７  電池
１０８  通信インターフェイス
１０９  カード挿入部
１０９ａ  窓
１１０  カード
１１０ａ  ラベル
１１１  切欠
２００  装着装置
２０１  ケース
２０１ａ  上縁
２０１ｂ  収納部
２０２  挿入口
２０３、２１５、２１６、２２８、２２９、２４２、２４３、２４８  窓
２０４  コネクタ
２０４ａ  配線
２０５、２１２  ソレノイド
２０６、２１３  ロッド
２０７  当部材
２０８  イジェクト機構
２０９  台部
２１０  充電器
２１１  通信インターフェイス
２１４  ロック機構
２１７、２１８  ボタン
２１９、２２０  連結マーク
２２１  左ガイド
２２２  右ガイド
２２３  当接面
２２４、２４１  プレート
２２５  左側縁
２２６  右側縁
２２７  底面
２３１〜２３８  挿入孔
２３１ａ〜２３８ａ  センサ
２３９、２４０、２４４〜２４６、２４９〜２５０  突起
３００  サーバ
【図１】
2004164612.tif 000003
【図２】
2004164612.tif 000004
【図３】
2004164612.tif 000005
【図４】
2004164612.tif 000006
【図５】
2004164612.tif 000007
【図６】
2004164612.tif 000008
【図７】
2004164612.tif 000009
【図８】
2004164612.tif 000010
【図９】
2004164612.tif 000011
【図１０】
2004164612.tif 000012
【図１１】
2004164612.tif 000013
【図１２】
2004164612.tif 000014
【図１３】
2004164612.tif 000015
【図１４】
2004164612.tif 000016